(57)【特許請求の範囲】
【請求項１】
エプロン本体に、締付紐をエプロン本体の下端と中間部両側縁とに掛け渡し、前記締付紐を引き締めることにより、エプロン本体の下部を折り返し、かつ該下部の両側部を内側に折り込むようにしてポケット部を形成するようにしたエプロンにおいて、３個の鳩目を、エプロン本体の下端に沿う位置と、エプロン本体の下部を折り返して形成するポケット部の深さが所定の深さとなる側縁位置と、該側縁位置の下方近傍位置とに、１組としてエプロン本体の左右両側にそれぞれ１組ずつ左右対称となるように配設し、３個１組の鳩目に、それぞれ１本ずつの締付紐を、前記側縁位置の鳩目にエプロン本体の裏面側より表面側へ挿通した後、前記側縁位置の下方近傍位置の鳩目にエプロン本体の表面側より裏面側へ挿通し、エプロン本体の下端に沿う位置の鳩目にエプロン本体の裏面側より表面側へ挿通してなることを特徴とするエプロン。
【請求項２】
締付紐に、緩み止め機能を備えた締結具を配設したことを特徴とする請求項１記載のエプロン。
【請求項３】
表生地と裏生地の間に金属箔を配して一体化してなる積層体を用いたことを特徴とする請求項１又は２記載のエプロン。
【発明の詳細な説明】
【０００１】
【発明の属する技術分野】
本発明は、エプロンに関し、特に、幼児や介護を必要とする老人、病人の食事時において、簡易に装脱着できるとともに、垂れやすい汁もの等であっても食べこぼしによって衣服等を汚さないようにしたエプロンに関するものである。
【０００２】
【従来の技術】
従来、幼児の衣服が食事時に汚れにくいようにしたエプロンとして、実開平７−４４０２５号公報、実用新案登録第３０６７６１４号公報に開示されたものがある。
このうち、実開平７−４４０２５号公報に記載の考案は、上部の取付部を幼児の首に巻いて取り付け、食事時にはエプロンの下部に取り付けた止着具にてエプロンの下部を折り返して止着具同士を互いに係着し、ポケット部を形成するようにしたものである。
また、実用新案登録第３０６７６１４号公報に記載の考案は、エプロンの下部を折り返してホックにて係止し、ポケット部を形成するようにしたものである。
このように、エプロンの下部を折り返してポケット部を構成することにより、食事時において幼児が食べこぼしてもポケット部にて受け止めるようにしている。
【０００３】
【発明が解決しようとする課題】
ところで、上記従来の幼児用のエプロンにおいては、エプロンの下部を折り返し、単に重ねた状態で、係止具にてこれを係着してポケット部を構成しているので、ポケットの両端部には隙間があり、完全に閉じられていないため、食べこぼした食品、特に、水気の多い食品はエプロンを伝って下方に流れ落ち、ポケット部にて受け止めても、この隙間から外部に漏れ、エプロンをしていても衣服を汚すという問題があった。
また、エプロンを幼児に装着した後、エプロン下端部を折り返して係止具を止めてポケット部を構成するようにしているため、ポケット部の開口部分が塞がった状態となりやすく、ポケットの開口部分を大きく開いた状態にできないという問題があった。
【０００４】
本発明は、上記従来のエプロンの有する問題点に鑑み、食べこぼし量が多量の場合や水分の多い食品の場合であっても、食べこぼしを確実にポケット内に受け留め、外部に漏れないようにするとともに、エプロンを幼児に装着した後でも簡単にポケット部を形成し、さらに、ポケットの開口部分を大きく開いた状態にできるようにしたエプロンを提供することを目的とする。
【０００５】
【課題を解決するための手段】
上記目的を達成するため、本発明のエプロンは、エプロン本体に、締付紐をエプロン本体の下端と中間部両側縁とに掛け渡し、前記締付紐を引き締めることにより、エプロン本体の下部を折り返し、かつ該下部の両側部を内側に折り込むようにしてポケット部を形成するようにしたエプロンにおいて、３個の鳩目を、エプロン本体の下端に沿う位置と、エプロン本体の下部を折り返して形成するポケット部の深さが所定の深さとなる側縁位置と、該側縁位置の下方近傍位置とに、１組としてエプロン本体の左右両側にそれぞれ１組ずつ左右対称となるように配設し、３個１組の鳩目に、それぞれ１本ずつの締付紐を、前記側縁位置の鳩目にエプロン本体の裏面側より表面側へ挿通した後、前記側縁位置の下方近傍位置の鳩目にエプロン本体の表面側より裏面側へ挿通し、エプロン本体の下端に沿う位置の鳩目にエプロン本体の裏面側より表面側へ挿通してなることを特徴とする。
【０００６】
このエプロンは、エプロン本体の下端と中間部両側縁とに掛け渡した締付紐を引っ張って引き締めることにより、エプロン本体の下部を折り返し、かつ該下部の両側部を内側に折り込むようにしてポケット部を形成するようにしているので、ポケット部の両側部も完全に閉鎖されるようになり、水分の多い食品でも食べこぼしを完全にポケット部内に受け止めることができ、しかも締付紐を引っ張って引き締めることにより、簡単にポケット部を形成し、さらに、ポケットの開口部分を大きく開いた状態にできる。
【０００７】
この場合において、締付紐に、緩み止め機能を備えた締結具を配設することができる。
【０００８】
これにより、ポケット部の形成時、引っ張った締付紐に沿って締結具を移動させるだけの簡単な操作で、締付紐を固定でき、ポケット部の形状を保持することができる。
【０００９】
また、表生地と裏生地の間に金属箔を配して一体化してなる積層体を用いることができる。
【００１０】
これにより、表生地と裏生地の間に配した金属箔の作用によって、ポケット部の形状を安定して維持することができ、また、このように変形させても、引き締めた締付紐を緩めれば、金属箔は表生地及び裏生地に皺を生じさせることなく元の状態に戻って、その形状を安定して維持することができ、さらに、金属箔が遮水機能を果たすため、水分の裏生地への浸透を防止することができる。
【００１１】
【発明の実施の形態】
以下、本発明のエプロンの実施の形態を図面に基づいて説明する。
【００１２】
図１〜図３に、本発明のエプロンの一実施例を示す。
このエプロンは、以下幼児用のものについて説明するが、サイズ及び／又は形状を変えることにより、介護を必要とされる老人用として、さらには病人用として使用することができる。
【００１３】
図１に、エプロンを未装着で、伸張した状態を示す。
このエプロン本体１の構成及び形状は、特に限定されるものではないが、撥水性を有する布地、或いは撥水加工を施した布地よりなる表生地１１と、裏生地１２と、この表生地１１、裏生地１２との間に挟むようにして配設し、エプロンに保形性を備えるようにした芯地１３との３枚を重ねて構成する。
そして、エプロンとしてふさわしい形状に、例えば、幼児の首部に巻き付けるように装着し、この状態でエプロンにて幼児の胸部分を覆うよう変形ピーナツ形に裁断し、この外周縁に沿って縁取布１４を縫着し、かつ前記表生地１１、芯地１３、裏生地１２の３枚重ねの布地の周縁部を押さえ込むようにして一体となるように構成する。
【００１４】
また、このエプロン本体１上部のほぼ中央位置には、幼児の首部に巻き付けて簡易に装着しやすいように、また、幼児の首部を挿入できるよう一部を切り欠いた円弧形の首挿通孔部２を形成する。
この首挿通孔部２は、エプロン本体１の上部に連接し、かつ互いに突き合わせ状態にして突設する２つの円弧形舌片状の首巻付片３，３により形成する。
【００１５】
そして、この円弧形舌片状の首巻付片３，３のうち、その一方の首巻付片３（図１においては右側）の表面側に、２つの面ファスナー４１，４２を適当な間隔をあけて配設し、また、他方の首巻付片３の裏面側には、１つの面ファスナー４３を配設する。
そして、幼児の首を、この一部を切り欠いた円弧形の首挿通孔部２に挿入するようにし、次いで対向する舌片状の首巻付片３，３を、図２の矢付方向に互いにその先端部分を重ねて首挿通孔部２を閉じるようにして幼児の首に巻き付け、面ファスナー４１，４２の１つと、面ファスナー４３とが互いに係着することにより、幼児の胸前に添って装着できるようにする。
【００１６】
また、エプロン本体１には、締付紐６を挿通するための鳩目５０，５１，５２を取り付ける。
この鳩目５０，５１，５２は、３個を１組とし、エプロン本体１の左右両側にそれぞれ１組ずつ、左右対称となるようにして配設する。
なお、図１においては、左半側には、３個の鳩目５０，５１，５２のみを取り付けた状態を、また右半側にはこの鳩目５０，５１，５２に締付紐６を挿通し、エプロン本体を縫うように配設した状態を示しているが、左右共に鳩目５０，５１，５２に締付紐６を挿通するものである。
この場合、最下方の鳩目５２は、エプロン本体１の下端に沿う位置に、また、最上方の鳩目５０は、エプロン本体１の下部を折り返して形成するポケット部Ｐの深さが、所定の深さとなる側縁位置に、さらに、中間の鳩目５１は、最上方の鳩目５０の下方近傍位置に、それぞれ配設するようにする。
これには、エプロン本体１の下部を、図２に示すように、エプロン本体１の表側に沿うよう折り返すとき、ポケット部Ｐの底部は、図１に示す仮想折れ線Ｍの位置となり、これは上方の鳩目５０と最下方の鳩目５２のほぼ中間位置となる。また、２番目の鳩目５１は、鳩目５０の近傍位置であれば特に限定されるものではない。
【００１７】
３個１組の鳩目５０，５１，５２には、１本の締付紐６を挿通するようにする。
この締付紐６は、鳩目５０にエプロン本体１の裏面側より表面側へ挿通した後、隣接する鳩目５１にエプロン本体１の表面側より裏面側へ挿通し、その後、最下方の鳩目５２にエプロン本体１の裏面側より表面側へ挿通する。
なお、この締付紐６の両端が、鳩目５０，５１，５２より抜け出ないように、抜止用の抜止具６１，６２を一体に係着するか、或いは鳩目５０，５２の紐通孔の径よりも大径となるよう締付紐６の端部を直接結びつけるようにしてもよい。
【００１８】
また、この締付紐６には、鳩目５０を挿通した端部側で抜止具６１との間に緩み止め機能を備え、釦を押すことにより締付紐６の締結状態を解除できる締結具６３を挿通する。
これにより、図２に示すように、抜止具６１を矢付方向へ引き、エプロン本体１の下部を折り返してポケット部を形成するとき、この締付紐６を引っ張ると、エプロン本体１の下部は、仮想折れ線Ｍより２つ重ねになるよう折り曲げられるとともに、下部両側は仮想中折れ線Ｎ，Ｎより断面Ｖ字形に折り込まれるようになりポケット部Ｐが形成されるようにする。
このとき、Ｖ字形に内側に折り込まれるエプロン本体１の下部両側部分の内側面が、図３に示すように、ほぼ接するまで締付紐６を引っ張り、その後、締結具６３を締付紐６に沿って移動させ、エプロン本体裏面側に密着するようにしてその位置で締付紐６を締結することにより、エプロン本体１の下部を折り返して形成したポケット部Ｐの形状が保持される。
なお、このポケット部Ｐの上面開口面積は、この締付紐６の引っ張り度により任意に調整できるものである。
【００１９】
ところで、本実施例のエプロン本体１は、撥水性を有する布地、或いは撥水加工を施した布地よりなる表生地１１と、裏生地１２と、この表生地１１、裏生地１２との間に挟むようにして配設し、エプロンに保形性を備えるようにした芯地１３との３枚を重ねて構成するようにしているが、特に、表生地１１と裏生地１２の間に金属箔からなる芯地１３を配して一体化してなる積層体を用いることが好ましい。
【００２０】
この場合のおいて、表生地１１と裏生地１２には、通常、エプロンに用いられる織布、編布、不織布、人工皮革、合成樹脂フィルム等の任意の材料を用いることができ、布を構成する繊維の種類も、ナイロン、ポリエステル、アクリル、ポリプロピレン、ポリウレタン、アセテート、レーヨン等の合成繊維、綿、麻、羊毛、絹等の天然繊維等の任意の繊維を用いることができる。
なお、表生地１１と裏生地１２を構成する布には、エプロンの用途等に応じて、コーティング、ラミネート等の表面処理を施すことができる。
【００２１】
表生地１１と裏生地１２の間に配設する芯地１３としての金属箔には、アルミニウム、亜鉛、銀等の適度の柔軟性と折り曲げに対する耐性及び復元性を備えた、厚さ数十μｍ〜数百μｍ程度の金属箔を用いることができる。
【００２２】
そして、表生地１１及び裏生地１２と芯地１３としての金属箔を、適宜の接着剤（表生地１１及び裏生地１２と芯地１３としての金属箔を接着し、剥離しないものであれば、特に限定されるものではないが、例えば、ウレタン樹脂、塩化ビニル樹脂、アクリル樹脂、シリコーン樹脂、アクリルシリコーン樹脂、アクリルウレタン樹脂、ウレタンフッ素樹脂、ポリエステル共重合樹脂等の任意の接着剤）を使用して、接着、一体化して、積層体を得るようにする。
【００２３】
このようにして得たエプロンは、表生地１１と裏生地１２の間に芯地１３としての金属箔を配して一体化してなる積層体を用いるようにしているので、金属箔の作用によって、ポケット部Ｐの形状を安定して維持することができ、また、このように変形させても、引き締めた締付紐６を緩めれば、金属箔は表生地１１及び裏生地１２に皺を生じさせることなく元の状態に戻って、その形状を安定して維持することができ、さらに、金属箔が遮水機能を果たすため、水分の裏生地への浸透を防止することができる。
【００２４】
次に、このエプロンの使用について説明する。
幼児の胸部に、本発明のエプロンを装着するには、胸部前面にエプロンを添わせ、かつ幼児の首に首巻付片３，３を巻き付けるようにして面ファスナー４１又は４２と、面ファスナー４３とを係着する。
これにより、幼児の胸部に添って、エプロンを装着することができる。
この状態でも使用することができるが、このようにエプロンを幼児にあてがうだけでは食べこぼしを受け止めることができない場合、エプロン本体１の下部を折り返してポケット部Ｐを形成する。
これは、エプロン本体１の下端両側部に挿通した締付紐６を引っ張ることにより、ポケット部Ｐは仮想折れ線Ｍより２つ重ねになるよう折り曲げられ、折り返されると同時に、エプロン本体１の両側端部は、仮想中折れ線Ｎ，Ｎより断面Ｖ字形に内側に折り込まれるようになってポケット部Ｐが、隙間を生じることなく簡単に形成される。
【００２５】
このようにして、ポケット部Ｐが、エプロン本体１の下部を２つ折りとするとともに、両側部分をＶ字形に内側に折り込んでいるため、ポケット部両側部分に隙間がなく、エプロン本体１と一体に形成されるので、食べこぼしが多くても、さらには水分の多い食品でも確実にポケット部Ｐにて受け留められ、衣服を汚すことがない。
また、この締結具６３をエプロン本体１の裏面側に接するまで移動させることにより締結された締付紐６が緩むことがないため、エプロン本体１の下部の折り返しにより形成されたポケット部Ｐの形状を確実に保持することができる。
この場合、締付紐６の引張度及び締結具６３の移動に応じてポケット上端の開口面積が定められる。これにより、エプロン本体１を幼児に装着した後でも簡易に、迅速にポケット部Ｐを形成することができる。
また、締結具６３を締付紐６の端側へ移動させることにより、エプロン本体１の下部の折り返し及び折り込みが伸張するようになってポケット部Ｐは簡単に解消される。
【００２６】
以上、本発明のエプロンについて、その実施例に基づいて説明したが、本発明は上記実施例に記載した構成に限定されるものではなく、その趣旨を逸脱しない範囲において適宜その構成を変更することができるものである。
【００２７】
【発明の効果】
本発明のエプロンによれば、エプロン本体の下端と中間部両側縁とに掛け渡した締付紐を引っ張って引き締めることにより、エプロン本体の下部を折り返し、かつ該下部の両側部を内側に折り込むようにしてポケット部を形成するようにしているので、ポケット部の両側部も完全に閉鎖されるようになり、水分の多い食品でも食べこぼしを完全にポケット部内に受け止めることができ、しかも締付紐を引っ張って引き締めることにより、簡単にポケット部を形成し、さらに、ポケットの開口部分を大きく開いた状態にできるので、幼児等がどのような食べ方をしても食べこぼしを受け留め、衣服を汚すことがない。
【００２８】
また、締付紐に、緩み止め機能を備えた締結具を配設することにより、ポケット部の形成時、引っ張った締付紐に沿って締結具を移動させるだけの簡単な操作で、締付紐を固定でき、ポケット部の形状を保持することができる。
【００２９】
また、表生地と裏生地の間に金属箔を配して一体化してなる積層体を用いることにより、表生地と裏生地の間に配した金属箔の作用によって、ポケット部の形状を安定して維持することができ、また、このように変形させても、引き締めた締付紐を緩めれば、金属箔は表生地及び裏生地に皺を生じさせることなく元の状態に戻って、その形状を安定して維持することができ、さらに、金属箔が遮水機能を果たすため、水分の裏生地への浸透を防止することができる。
【図面の簡単な説明】
【図１】  本発明のエプロンの一実施例を示し、（Ａ）は正面図、（Ｂ）断面図である。
【図２】  ポケット部を形成する途中の状態を示す外観図である。
【図３】  ポケット部を形成した状態を示す外観図である。
【符号の説明】
１    エプロン本体
１１  表生地
１２  裏生地
１３  芯地
１４  縁取布
２    首挿通孔部
３    首巻付片
４１，４２，４３   面ファスナー
５０，５１，５２   鳩目
６    締付紐
６１，６２   抜止具
６３  締結具
Ｐ    ポケット部
Ｍ    仮想折れ線
Ｎ    仮想中折れ線
【図１】
0004094892.tif 000002
【図２】
0004094892.tif 000003
【図３】
0004094892.tif 000004